(57)【要約】      （修正有）【課題】肥料の効能の遅延化及び効能発現パターンの制御を行うことができ、植物の生育効果が高くなるという優れた効果を奏する、一粒型配合肥料およびコーティング工程を含む製造方法を提供。【解決手段】肥料の表面にコーティング層を備える一粒型配合肥料であって、前記肥料は、けい酸質肥料又はけい酸加里肥料であり、亦前記コーティング層は石灰成分を含む、一粒型配合肥料。【選択図】なし【特許請求の範囲】
【請求項１】
肥料の表面にコーティング層を備える一粒型配合肥料であって、
前記肥料は、けい酸質肥料又はけい酸加里肥料であり、
前記コーティング層は、石灰成分を含む、
一粒型配合肥料。
【請求項２】
請求項１に記載の一粒型配合肥料において、
前記石灰成分は、貝の殻の破砕物である、
一粒型配合肥料。
【請求項３】
請求項２に記載の一粒型配合肥料において、
前記貝は、牡蠣である、
一粒型配合肥料。
【請求項４】
請求項１に記載の一粒型配合肥料において、
前記石灰成分は、石灰質肥料である、
一粒型配合肥料。
【請求項５】
請求項１〜４いずれか記載の一粒型配合肥料において、
前記けい酸質肥料は、鉱さいけい酸質肥料である、
一粒型配合肥料。
【請求項６】
請求項１〜５いずれか記載の一粒型配合肥料において、
前記一粒型配合肥料の可給態けい酸含有率が、前記一粒型配合肥料の全成分を１００％としたとき、３.０％以上である、
一粒型配合肥料。
【請求項７】
請求項１〜６いずれか記載の一粒型配合肥料の製造方法であって、
粒状の前記けい酸質肥料又はけい酸加里肥料の表面に、前記石灰成分を含むコーティング材をコーティングする工程を含む、
一粒型配合肥料の製造方法。
【請求項８】
請求項７に記載の一粒型配合肥料の製造方法であって、
前記けい酸質肥料又はけい酸加里肥料の原料および水溶性バインダーを混合して、前記粒状のけい酸質肥料又はけい酸加里肥料を造粒する工程をさらに含む、
一粒型配合肥料の製造方法。
【発明の詳細な説明】
【技術分野】
【０００１】
本発明は、肥料の表面に、石灰成分を含むコーティング層を備える一粒型配合肥料およびその製造方法に関する。
【背景技術】
【０００２】
肥料は、植物成長を効果的に促進するために、特定量の水溶性の植物栄養分を含有している。例えば、典型的なものとして、窒素、りん酸、カリウムの水溶性化合物や、ミネラル分として、カルシウム、マグネシウム、亜鉛等が挙げられる。
また、肥料は、植物栄養分以外にも、土壌環境を改善させる成分（例えば、アルカリ分）を含有している場合は、例えば、酸性土壌に対して、土壌pHを調整することにより、植物の生育について促進することができる。
【０００３】
しかしながら、肥料における成分が速く土壌中へ溶け出した場合、植物毒性および植物栄養分の欠乏をもたらすことがあった。
【０００４】
そのため、従来より、肥料の効能の長期化及び効能発現パターンの制御などを目的として、肥料成分を含有する粒状物質の表面に樹脂等を用いた被覆層を有する被覆肥料が知られている。
この被覆肥料では、肥料の表面を、水の浸透が遅い被膜で被覆し、肥料の成分の溶出をコントロールすることで肥料の効能について長期化を目指している。
また、被覆肥料の被覆層としては、硫黄、ポリオレフィン樹脂、アルキッド樹脂、ワックス、ポリ塩化ビニリデン、ポリ塩化ビニル、ウレタン樹脂、エポキシ樹脂等が用いられている。
【０００５】
被覆肥料の被覆層については、被覆肥料の肥料成分が溶出した後などに、被覆層に用いられた樹脂が土壌等に残留することを抑制するために、土壌等の自然環境下において容易に分解される被覆材料が開発されている。
例えば、環境への負荷の小さい被覆材料として、樹脂の生分解性が期待できることから、エステル結合を有するヒマシ油やヒマシ油誘導体を原料とポリイソシアネートとを反応させたポリウレタン樹脂を被膜として用いることが提案されている（特許文献１）。
しかし、容易に分解される被覆材料を用いると、被覆層が早期に分解される。そのために肥料の溶出が終わるまでの一定期間において被覆層の分解が抑制されるように被覆層の表面に保護層を備えた、被覆肥料が提案されている（特許文献２）。
【先行技術文献】
【特許文献】
【０００６】
【特許文献１】特開２００１−２１３６８５公報
【特許文献２】特開２０１１−１７８５８０公報
【発明の概要】
【発明が解決しようとする課題】
【０００７】
しかしながら、上記文献記載の従来技術は、以下の点で改善の余地を有していた。
特許文献１および２に記載の被覆肥料は、被覆層内に水分が侵入して内部の肥料を溶かし、肥料溶液となったものが外部に染み出ることによって、肥料の成分を土壌へ溶出している（図1参照）。
従って、被覆肥料は、構造上、ある一定の肥料成分が、ある一定の濃度で溶出し続けるものであり、複数の問題を抱える土壌に関する土壌環境の改善や、植物における生育ステージごとの栄養吸収量に見合った栄養供給を行う場合には、何種類もの被覆肥料を施肥する必要性があった。従って、肥料の効能の長期化及び効能発現パターンの制御について十分とはいえない。
【０００８】
本発明は、以上の事情に鑑みてなされたものであり、肥料の効能の遅延化及び効能発現パターンの制御を行える一粒型配合肥料およびその製造方法を提供することを目的とする。
【課題を解決するための手段】
【０００９】
本発明によれば、肥料の表面にコーティング層を備える一粒型配合肥料が提供される。
ここで、上記肥料は、けい酸質肥料又はけい酸加里肥料であり、また上記コーティング層は、石灰成分を含んでいる。
【００１０】
この構成によれば、けい酸質肥料又はけい酸加里肥料の表面に、石灰成分を含むコーティング層を備えることで、コーティング層における植物の生育に関係する成分が、コーティングされたけい酸質肥料又はけい酸加里肥料の成分より、先に溶出することで効能発現パターンの制御を行うことができる。また、けい酸質肥料又はけい酸加里肥料は、コーティング層によってコーティングされているので肥料における効能を遅延化することができる。
【００１１】
本発明によれば、上記一粒型配合肥料の製造方法であって、粒状のけい酸質肥料又はけい酸加里肥料の表面に、石灰成分を含むコーティング材をコーティングする工程を含む、製造方法が提供される。
【００１２】
この方法によれば、肥料の効能の遅延化及び効能発現パターンの制御を行える一粒型配合肥料を製造することができる。
【発明の効果】
【００１３】
本発明によれば、肥料の表面に石灰成分を含むコーティング層を備えているので、肥料の効能の遅延化及び効能発現パターンの制御を行うことができ、植物の生育効果が高くなるという優れた効果を奏する。
【図面の簡単な説明】
【００１４】
【図１】図１は、従来技術における被覆肥料の肥料成分溶出メカニズムの模式図である。
【図２】図2は、本実施形態における一粒型肥料成分の溶出メカニズムの模式図（一例）である。
【図３】図3は、本実施形態における一粒型肥料の製造方法を説明するための製造工程図である。
【図４】図4は、本発明の一実施例における加速試験時のｐＨの経時変化の図である。
【発明を実施するための形態】
【００１５】
以下、本発明の実施の形態について説明する。以下の実施形態は、例示であって、本発明の範囲は、以下の実施形態で示すものに限定されない。
【００１６】
本実施形態の一粒型配合肥料は、けい酸質肥料又はけい酸加里肥料の表面にコーティング層を備え、コーティング層は、石灰成分を含む。そうすることによって、本実施形態の一粒型配合肥料を土壌などへ施肥した場合、例えば、コーティング層の石灰成分によって、土壌ｐHを整え、その後に、けい酸質肥料又はけい酸加里肥料の成分が溶出することによって、植物の生育効果が高くなる。また、少なくとも一つのけい酸質肥料又はけい酸加里肥料の表面にコーティング層を備えているので、植物の栄養成分等の溶出効果が長くなる。
【００１７】
公知の被覆肥料は、肥料にポリウレタンやひまし油等を用いて、被覆皮膜を備えることによって、肥料の溶出を遅延的に制御している。しかし、公知の被覆肥料では、被覆されている肥料のみの成分によって、効能が発現される。すなわち、その被覆肥料が有する一種類の肥料の効果しか発揮されないということである。従って、例えば、土壌pHが悪くまた、土壌中の育成する植物に対する栄養成分が乏しいなど、複数の問題を改善しようとする場合、被覆肥料を含む公知の肥料では、土壌pH改善用肥料や、栄養成分供給用肥料など、土壌における問題の特徴に合わせ、数種類の被覆肥料を施肥する必要がある。
また、一般的に作物の増収を獲得するためには、施肥する土壌環境によっても変わるので、特に限定しないが、多くの場合、初めに土壌pH改善等を行い植物等の生育環境を整えてから植物等を植え、その後植物等が成長するとともに、土壌中の栄養成分が減少していくので、それを補うために栄養成分供給用肥料等を施肥するのが、効率的である。
そのため、一般的な肥料を用いる場合では、数種または数回に分けて施肥しなければならなく、大変手間である。例えば、2種類以上の肥料を、単に混ぜ合わせた混合肥料の場合、一定の成分が溶出するだけで、肥料における成分溶出など制御できず、肥料の効能発現パターンを制御することは困難である。
また、数種類の公知の被覆肥料を用いたとしても、被覆肥料の構造上、肥料粒の表面を、水の浸透が遅い被膜で被覆することにより、成分の溶出をコントロールしているので、施肥する土壌環境（水分含有量や温度）によって、それぞれの被覆肥料における成分の溶出が左右され、肥料の効能発現パターンを制御することは、困難である。
一方、本実施形態の一粒型配合肥料は、土壌などへ施肥した場合、石灰成分を含むコーティング層の成分の方が、コーティングされたけい酸質肥料又はけい酸加里肥料の成分より、速く溶出する傾向にある（図2参照）。すなわち、本実施形態の一粒型配合肥料を施肥した場合、例えば、コーティング層の石灰成分によって、土壌ｐHを整え、その後、コーティングされたけい酸質肥料又はけい酸加里肥料における効能の遅延化によって、植物の成長するための栄養分を必要とするときに、けい酸質肥料又はけい酸加里肥料の成分の溶出が増え、植物等の成長に必要な栄養分を供給することができる。
従って、一粒型配合肥料において、植物における生育ステージごとに合った植物の生育に関する効能発現パターンを制御することができる。
【００１８】
＜けい酸質肥料又はけい酸加里肥料＞
本実施形態の一粒型配合肥料において、けい酸質肥料は、特に限定しないが、けい灰石肥料、鉱さいけい酸質肥料、軽量気泡コンクリート粉末肥料等が挙げられる。好ましいのは、鉱さいけい酸質肥料である。鉱さいけい酸質肥料は、アルカリ分が高いので、酸性化土壌の改良について有効的であり、また、石灰やマグネシウムや鉄分などの植物の栄養成分を供給することができる。
【００１９】
また、本実施形態の一粒型配合肥料において、けい酸加里肥料は、肥料取締法に基づくけい酸加里肥料と称されるものである。けい酸加里肥料は、可溶性けい酸を含んでいるため、植物の栄養成分等を供給することができる。
【００２０】
けい酸質肥料又はけい酸加里肥料の形状は、特に限定しないが、粒状が好ましい。より好ましいのは、粒状のけい酸質肥料又はけい酸加里肥料の平均アスペクト比が、0.7以上1以下である。粒状であれば、コーティングしやすいからである。粒状のけい酸質肥料又はけい酸加里肥料の平均アスペクト比は、例えば、0.7、0.71、0.75、0.8、0.85、0.89、0.9、0.91、0.95、0.99、1以下であり、ここで例示した数値の何れか２つの値の間の範囲内であってもよい。
【００２１】
また、けい酸質肥料又はけい酸加里肥料の粒子径D50は、特に限定しないが、0.05ｍｍ以上7.0ｍｍ以下が好ましい。より好ましいのは、0.5ｍｍ以上3.5ｍｍ以下である。
けい酸質肥料又はけい酸加里肥料の粒子径D50は、例えば、0.05、0.1、0.5、1.0、1.1、2.0、3.0、3.5、3.9、4.0、4.5、5.0、6.0、7.0ｍｍ以下であり、ここで例示した数値の何れか２つの値の間の範囲内であってもよい。
けい酸質肥料又はけい酸加里肥料の粒子径Ｄ５０が７．０ｍｍより大きいと、溶出しきれずに、土中に残る可能性がある。そのため、土壌中の養分過剰が起こる場合がある。また、けい酸質肥料又はけい酸加里肥料の粒子径Ｄ５０が０．０５ｍｍより小さいと、石灰成分を含むコーティング材がうまく付着せずにコーティングできない場合がある。
【００２２】
平均アスペクト比の測定方法は、特に限定しないが、例えば、無作為に本実施形態の一粒型配合肥料１０個を選び、一粒型配合肥料における長軸と短軸を測定し、比率を計算し、一粒型配合肥料１０個におけるアスペクト比の平均値を求める。
粒子径分布の測定（D50）は特に限定しないが、粒子径解析−画像解析法−第1部：静止画像解析法（JISZ8827-1）や粒子径解析−レーザー回折法−第１部：測定原理（JIS Z 8825-1）を基にして行うことができる。
【００２３】
本実施形態の一粒型配合肥料におけるけい酸質肥料又はけい酸加里肥料の硬度は、特に限定しないが、2.2ｋｇ以上が好ましい。けい酸質肥料又はけい酸加里肥料の硬度は、例えば、1.5、1.6、1.7、1.8、1.9、2.0、2.1、2.2、2.3、2.4、2.5、2.6、2.7、2.8、2.9、3.0ｋｇ以上であり、ここで例示した数値の何れか２つの値の間の範囲内であってもよい。けい酸質肥料又はけい酸加里肥料の硬度が大きいほど崩壊性が悪くなるので、より肥料の効能について遅延化することが可能となる。
なお、硬度試験は、公知の方法を用いることができ、特に限定しないが、一例として、肥料から無作為に２０粒ずつ選び、簡易粒体硬度計〔ＦＵＪＩＷＡＲＡ ＨＡＲＤＮＥＳＳ ＴＥＳＴＥＲ，ＣＡＰ２０ｋｇ，ＧＲＡＤ５０ｇ〕を用いて測定した測定値の平均値を求めて、硬度（ｋｇ）を測定することができる。
【００２４】
本実施形態の一粒型配合肥料におけるけい酸質肥料又はけい酸加里肥料におけるpHは、特に限定しないが、pH3.0以上pH8.0以下が好ましい。より好ましくは、pH4.0以上pH7.5以下が好ましい。
【００２５】
＜コーティング層＞
本実施形態の一粒型配合肥料において、コーティング層は、少なくとも石灰成分を含んでいる。
上記石灰成分によって、例えば、中・長期的な土壌pH維持をすることができる。そうすることで、けい酸質肥料又はけい酸加里肥料の利用率向上と作物の増収効果が向上する。
また、石灰成分によって、植物の成長に関する栄養成分等を供給することが可能となる。
【００２６】
本実施形態のコーティング層における石灰成分の含有比率は、施肥する土壌の状況に合わせて適宜調整すれば良いので、特に限定しないが、コーティング層の全ての成分を１００％とした場合、石灰成分の含有比率は、１．０％以上１００％以下が好ましい。より好ましくは、１．０％以上１００％未満である。最も好ましいは、５０％以上９９％以下である。石灰成分の含有比率は、例えば、1.0、5.0、10、15、20、30、40、50、60、70、80、90、99、100％であり、ここで例示した数値の何れか２つの値の間の範囲内であってもよい。
コーティング層における石灰成分の含有比率が、１．０％未満の場合、土壌ｐＨを整えることができない場合がある。また、二種類以上の石灰成分を併用しても良い。
【００２７】
本実施形態の一粒型配合肥料において、コーティング層は、石灰成分以外を含んでいても良い。特に限定しないがコーティング層における石灰成分以外として、バインダー、樹脂、りん酸や窒素やカリウムなどの植物等の成長にかかわる成分や肥料等が挙げられる。また、石灰成分以外の物を二種類以上併用しても良い。
また、上記バインダーとして、特に限定しないが、水溶性バインダーが好ましい。水溶性バインダーとして、例えば、廃糖蜜、ステフェン廃水濃縮液、アルコール発酵廃液、ポリビニルアルコール、可溶性澱粉、リグニン、リグニン酸塩、カルボキシメチルセルローズ、サルファイトパルプ副生物等があげられる。
コーティング層の組成を変更することによって、コーティングされるけい酸質肥料又はけい酸加里肥料の成分の溶出を調整することができる。さらに、コーティング層における成分の溶出も調整することができる。
【００２８】
また、本実施形態の一粒型配合肥料において、コーティング層は、特に限定しないが、石灰成分を含むけい酸質肥料又はけい酸加里肥料であっても良い。その場合、けい酸質肥料又はけい酸加里肥料の表面にコーティング層（石灰成分を含むけい酸質肥料又はけい酸加里肥料）を備えているので、植物の栄養成分の溶出効果が長くなる。
【００２９】
本実施形態の一粒型配合肥料において、特に限定しないが、コーティングされるけい酸質肥料又はけい酸加里肥料とコーティング層の組成が異なることが好ましい。そうすることで肥料の効能発現パターンを制御することができる。
例えば、一粒型配合肥料における体積を１００％として、コーティング層が石灰成分（体積比２５％）とけい酸質肥料（体積比２５％）とし、コーティングされる肥料をけい酸質肥料（体積比５０％）とした場合、初めに、コーティング層の成分（石灰成分およびけい酸質肥料）が溶出し始める。その後、コーティングされたけい酸質肥料が溶出する。つまり、コーティング層の溶出後に、けい酸質肥料の成分溶出が約２倍に増えることになる。
従って、上記のようにコーティング層におけるけい酸質肥料の配合を調整することで、一粒型配合肥料が全て溶出する間に、けい酸質肥料の成分溶出量を調節することができる。
つまり、本実施形態の一粒型配合肥料において、所望する成分溶出量について強弱をつけることが可能となる。従って、植物における生育ステージごとの栄養吸収量に見合った栄養供給をすることが可能となる。
【００３０】
・石灰成分
本実施形態の一粒型配合肥料におけるコーティング層の石灰成分は、特に限定しないが、例えば、酸化カルシウムや水酸化カルシウムや貝の殻の破砕物または石灰質肥料が挙げられる。好ましくは、貝の殻の破砕物または石灰質肥料である。そうすることで、貝の殻の破砕物または石灰質肥料の成分によって、植物等を生育させるための土壌環境を整えることができる。
【００３１】
本実施形態において、石灰質肥料は、特に限定しないが、例えば、生石灰、消石灰、炭酸カルシウム肥料、貝化石肥料、副産石灰肥料、混合石灰肥料等が挙げられる。好ましくは、副産石灰肥料である。
なお、石灰質肥料の原料は、特に限定しないが、例えば、貝の殻の破砕物が好ましい。そうすることで、肥料取締法に基づく公定規格をクリアできる貝の殻の破砕物を用いることができるので、より植物の生育に関する成分が優れており、またその効能が期待できる。また、貝の殻の破砕物は、単独で使用しても、二種類以上併用しても良い。また、石灰質肥料の原料として、貝の殻の破砕物以外のものを含んでいてもよい。
【００３２】
本実施形態における貝の殻は、海水、淡水、汽水に生息する貝のいずれの貝の殻であってもよい。特に限定しないが、例えば、カキ、アサリ、ハマグリ、ホタテガイ、アワビ、サザエ、トリガイ、アカガイなどの貝の殻が挙げられる。貝の殻は、石灰成分の他に、多くミネラル含有している傾向にあり、コーティング層の石灰成分として貝の殻を用いることで、例えば、植物等を成長させるための栄養成分を供給することができる。
また、上記貝の殻として、好ましくは、カキ殻を用いることができる。カキ殻は、大量かつ容易に入手することができるので、コストを軽減することができる。さらに、カキ殻には、天然のミネラル分を多く含んでいる傾向があり、その天然のミネラル分によって、土壌中の有用微生物等を増殖させることができる。貝の殻は、単独で使用しても、二種類以上併用しても良い。
【００３３】
本実施形態において、貝の殻の破砕物は、貝の殻がその原形を実質的にとどめていない状態であれば特に限定しないが、例えば、チップ状、顆粒状、粉末状などが挙げられる。好ましくは、貝の殻の破砕物が、粉末状である。カキ殻は、粗く粉砕したものでは、きれいな形状の粒子ができにくいので、微粉砕したものの方が望ましい。貝の殻の破砕物の粒子径D50は、特に限定しないが、２．０ｍｍ以下が好ましい。貝の殻の破砕物の粒子径D50は、0.001、0.01、0.05、0.1、0.2、0.4、0.5、0.6、0.8、0.9、1.0、2.0ｍｍ以下であり、ここで例示した数値の何れか２つの値の間の範囲内であってもよい。
【００３４】
本実施形態において、貝の殻の破砕物は、上記貝の殻を粉砕ローラー、ロールプレスなどを用いて破砕処理して調製してもよい。また、市販の貝の殻の破砕物を用いても良い。市販の貝の殻の破砕物としては、セルカ（卜部産業社製）が好適に用いられる。
【００３５】
本実施形態において、貝の殻の破砕物は、焼成したものであってもよい。焼成することで貝殻またはその破砕物は、小粒化して粉状物になる。また、焼成によって、貝殻に付着している異物が多くの場合、ほとんど燃えてなくなる。そのために、一粒型配合肥料の品質の悪化を防止できる場合がある。
【００３６】
なお、本実施形態の一粒型配合肥料におけるコーティング層における貝の殻の破砕物の含有率は、コーティング層の全組成を１００％とした場合、特に限定しないが、７０％以上が好ましい。より好ましくは、１００％である。最も好ましいのは１００％未満である。コーティング層における貝の殻の破砕物の含有率は、10、20、30、40、50、60、70、80、90、99、100％であり、ここで例示した数値の何れか２つの値の間の範囲内であってもよい。
【００３７】
・コーティング層の厚さ
本実施形態の一粒型配合肥料において、コーティング層の平均厚さは、特に限定しないが、０．１ｍｍ以上５．０ｍｍ以下が好ましい。より好ましいのは、０．５ｍｍ以上２．０ｍｍ以下である。
コーティング層の平均厚さは、例えば、0.1、0.5、1.0、1.1、2.0、3.0、3.5、3.9、4.0、4.5、5.0ｍｍ以下であり、ここで例示した数値の何れか２つの値の間の範囲内であってもよい。
コーティング層の平均厚さが、０．１ｍｍ未満の場合、土壌ｐHを中・長期的に整えることができない場合がある。また、コーティング層の厚さが５．０ｍｍより大きい場合、土壌中の養分過剰が起こる場合がある。
コーティング層の平均厚さの測定については、特に限定しないが、例えば、無作為に本実施形態の一粒型配合肥料１０個を選び、一粒型配合肥料に対して垂直に切断をして、コーティング層の厚さの測定後、平均値を求める。
【００３８】
本実施形態の一粒型配合肥料におけるコーティング層の硬度は、特に限定しないが、2.2ｋｇ以上が好ましい。コーティング層の硬度は、例えば、1.5、1.6、1.7、1.8、1.9、2.0、2.1、2.2、2.3、2.4、2.5、2.6、2.7、2.8、2.9、3.0ｋｇ以上であり、ここで例示した数値の何れか２つの値の間の範囲内であってもよい。コーティング層の硬度が大きいほど崩壊性が悪くなるので、よりコーティング層おける成分の溶出が遅延化することにより、より効能について遅延化することが可能となる。
【００３９】
本実施形態の一粒型配合肥料におけるコーティング層のpHは、特に限定しないが、pH3.0以上pH12.0以下が好ましい。より好ましくは、pH5.0以上pH10.0以下が好ましい。コーティング層のpHは、例えば、3、4、5、6、7、8、9、10、11、12であり、ここで例示した数値の何れか２つの値の間の範囲内であってもよい。コーティング層のpHが高ければ高いほど、酸性土壌における土壌pH調整効果がより良くなる。
【００４０】
＜一粒型配合肥料について＞
本実施形態において、一粒型配合肥料の形状は、一粒型であれば特に限定しないが、より好ましいのは、一粒型配合肥料の平均アスペクト比が、0.7以上1以下である。平均アスペクト比が、0.7以上1以下である真円形または真円形に近い粒子であれば、一粒型配合肥料の表面における成分が均等に土壌へ溶出することができる。
【００４１】
本実施形態において、一粒型配合肥料の粒子径D50は、特に限定しないが、１．０ｍｍ以上８．０ｍｍ以下が好ましい。より好ましいのは、1.0 ｍｍ以上4.0 ｍｍ以下である。
一粒型配合肥料の粒子径D50は、0.1、0.5、1.0、1.1、2.0、3.0、3.5、3.9、4.0、4.5、5.0、6.0、7.0、8.0ｍｍ以下であり、ここで例示した数値の何れか２つの値の間の範囲内であってもよい。
一粒型配合肥料の粒子径D50が８．０ｍｍより大きいと、一粒型配合肥料が溶出しきれずに、土中に残る可能性がある。そのため、土壌中において養分過剰が起こる場合がある。また、一粒型配合肥料の粒子径D50が０．１ｍｍより小さいと、一粒型配合肥料成分の溶出効果が短くなる場合がある。
また、一粒型配合肥料の粒子径D50が、1.0ｍｍ以上4.0ｍｍ以下であると、機械散布がスムーズにできて、一粒型配合肥料成分の溶出効果が所望する長さに持続する傾向になる。
【００４２】
本実施形態において、一粒型配合肥料の含有成分について、肥料取締法に基づく公定規格に定める範囲以内であれば、特に限定しないが、一粒型配合肥料における全ての含有成分を１００％とした場合、好ましくは、アルカリ分含有率が３５％以上である。より好ましくは、４０％以上である。最も好ましいのは４５％以上である。一粒型配合肥料におけるアルカリ分含有率は、35、40、41、42、43、44、45、46、47、48、49、50％以上であり、ここで例示した数値の何れか２つの値の間の範囲内であってもよい。
【００４３】
本実施形態において、一粒型配合肥料のけい酸含有率は、特に限定しないが、好ましくは、けい酸含有率が１０％以上である。より好ましくは、２０％以上である。
一粒型配合肥料におけるアルカリ分は、10、11、12、13、14、15、16、17、18、19、20、21、22％以上であり、ここで例示した数値の何れか２つの値の間の範囲内であってもよい。なお、一粒型配合肥料のけい酸含有率は、肥料等試験法の可溶性けい酸・ふっ化カリウム法により分析した分析値を示す。
なお、肥料における可溶性けい酸含有量の測定方法は、肥料分析法で定められた0.5mol/L塩酸抽出法にて測定される。
【００４４】
けい酸は、例えば、植物の根、葉、茎を丈夫する効果を有し、また植物におけるカルシウムの吸収を促進させて、カルシウムとともに細胞壁を強固にし、病原菌の侵入を防ぐ働きがある。
なお、けい酸を例えば、水稲に吸収させると、水稲の受光態勢が改善され、根痛みも少なくなり、光合成が盛んになる傾向が見られる。
しかし、一般的にけい酸は、水に溶解しにくい物質であるため、植物に吸収されにくいとされている。そこで、肥料の公的規格においては、肥料分析法で定められた0.5mol/L塩酸抽出法を用いて、可溶性けい酸量を求める。可溶性けい酸量を測定することで、肥料が含有する植物が吸収できるけい酸量を評価することができる。
ただし、求めた可溶性けい酸量が、実際の植物におけるけい酸吸収量を反映しない場合があり、特に鉱さいけい酸質肥料においては、顕著に反映されない場合がある。そのため、肥料における植物が吸収できるけい酸量を評価するためには、特に限定しないが、可給態けい酸量を測定するのが好ましい。可給態けい酸量の測定方法は、強酸性下で抽出を行う可溶性けい酸量測定方法とは異なり、ｐＨ６−７付近で行うのが主流とされている。そのため、より土壌のｐＨに近い状態でけい酸を抽出し測定するために、より植物が吸収できるけい酸量を評価することができると言われている。
【００４５】
本実施形態において、一粒型配合肥料の可給態けい酸含有率は、特に限定しないが、上記一粒型配合肥料の成分を１００％としたとき、３．０％以上が好ましい。より好ましくは、４．０％以上である。最も好ましいは、５．０％以上である。一粒型配合肥料の可給態けい酸含有率は、3.0、3.5、3.9、4.0、4.5、5.0、6.0、7.0、8.0、9.0、10、14％以上であり、ここで例示した数値の何れか２つの値の間の範囲内であってもよい。
一粒型配合肥料における可給態けい酸含有率が多いほど、土壌へのけい酸成分溶出量が増し、そのため、植物等のけい酸成分吸収量が増え、植物等の生育がよくなる傾向になる。なお、可給態けい酸は、可溶性けい酸より、土壌へのけい酸成分の溶出量が高い傾向にある。
【００４６】
本実施形態における、一粒型配合肥料の可給態けい酸分析方法は、特には限定しないが、公知の方法で行うことができる。例えば、水−弱酸性陽イオン交換樹脂抽出法やリン酸緩衝液抽出法や酢酸緩衝液抽出法を用いることによって肥料における可給態けい酸を抽出し、その後、吸光度を用いた方法などによって、可給態けい酸量を測定することができる。得られた可給態けい酸量から、肥料における可給態けい酸含有率を求めることができる。
【００４７】
例えば、可給態ケイ酸分析方法における可給態けい酸の抽出に関して、上記水−弱酸性陽イオン交換樹脂抽出方法を用いる場合の試験手順として、一例として、肥料と弱酸性陽イオン交換樹脂および蒸留水を混合したあと、２５℃にて９６時間振とうさせる。振とう後、懸濁液をメンブレンフィルタで濾過し、澄明な抽出液を得る。
肥料から可給態けい酸を抽出した抽出液を、比色法や発光分析法などにて、けい酸濃度を測定することで、肥料における可給態けい酸含有率を測定することができる。
【００４８】
例えば、可給態ケイ酸分析方法における可給態けい酸の抽出に関して、上記リン酸緩衝液抽出方法を用いる場合の試験手順として、一例として、0.04mol/Lりん酸緩衝液（pH6.2）に肥料を加え、室温にて２時間振とうさせる。振とう後、懸濁液をメンブレンフィルタで濾過し、澄明な抽出液を得る。
肥料から可給態けい酸を抽出した抽出液を、特に限定しないが、分光光度計や発光分光分析装置（例えば、ICP光源など）等を用いて吸光度を求めることによって、肥料における可給態けい酸含有率を測定することができる。
【００４９】
本実施形態において、一粒型配合肥料の組成は、少なくとも石灰成分およびけい酸質肥料又はけい酸加里肥料を含んでいれば特に限定しないが、マグネシウム成分または鉄成分またはマンガン成分をさらに含むのが好ましい。
マグネシウム成分は、葉緑素の主要構成要素であるので、植物にマグネシウムが供給されると、植物中の葉緑素が増え、光合成を高めて生育を促進する。またマグネシウム成分は、根においてけい酸の吸収を助けるために、植物の生育が促進される。
鉄成分またはマンガン成分は、特に夏場の高温期の土壌において発生する硫化水素と結合し、硫化鉄や硫化マンガンとなる。そのために、土壌中の硫化水素を低減し、無害化するために、植物の根が傷むのを防ぐ効果がある。
また、本実施形態の一粒型配合肥料におけるマグネシウム成分含有率は、特に限定しないが、一粒型配合肥料における全ての成分を１００％とした場合、０．５％以上が好ましい。一粒型配合肥料におけるマグネシウム成分含有率は、0.5、1、2、3、4、5、6、7％以上であり、ここで例示した数値の何れか２つの値の間の範囲内であってもよい。
また、本実施形態の一粒型配合肥料における鉄成分含有率は、特に限定しないが、一粒型配合肥料における全ての成分を１００％とした場合、２％以上が好ましい。より好ましくは、５％以上である。一粒型配合肥料における鉄成分含有率は、2、3、4、5、6、7、8、9、10、11、12、13、14、15、16、17、18％以上であり、ここで例示した数値の何れか２つの値の間の範囲内であってもよい。
また、本実施形態の一粒型配合肥料におけるマンガン成分含有率は、特に限定しないが、一粒型配合肥料における全ての成分を１００％とした場合、０．１％以上が好ましい。
一粒型配合肥料におけるマンガン成分含有率は、0.1、0.5、1.0、2.0、3.0、4.0、5.0、10％以上であり、ここで例示した数値の何れか２つの値の間の範囲内であってもよい。
【００５０】
また、本実施形態の一粒型配合肥料におけるけい酸含有率や鉄成分含有率やマグネシウム成分含有率やマンガン成分含有率の方法は、公知の方法で行うことができ、特に限定しないが、肥料等試験法や肥料分析法（農林水産省農業環境技術研究所法）に基づいて行うことが出来る。
【００５１】
＜一粒型配合肥料の製造方法＞
本実施形態に係る一粒型配合肥料の製造方法は、粒状のけい酸質肥料又はけい酸加里肥料の表面に、石灰成分を含むコーティング材をコーティングする工程を含む。以下、本実施形態の一粒型配合肥料の製造方法について詳細に説明する。
【００５２】
本実施形態の一粒型配合肥料の製造方法において、用いられる粒状のけい酸質肥料又はけい酸加里肥料は、肥料取締法に基づく公定規格に定めるものであれば、特に限定しないが、市販のけい酸質肥料又はけい酸加里肥料であってもよい。好ましくは、けい酸質肥料又はけい酸加里肥料の原料を用いて、作製したけい酸質肥料又はけい酸加里肥料である。
【００５３】
本実施形態の一粒型配合肥料の製造方法において、けい酸質肥料又はけい酸加里肥料の原料を用いて、けい酸質肥料又はけい酸加里肥料を作成する場合は、上記けい酸質肥料又はけい酸加里肥料の原料および水溶性バインダーを混合して、上記粒状のけい酸質肥料又はけい酸加里肥料を造粒する工程をさらに含む。
【００５４】
本実施形態の一粒型配合肥料の製造方法において、粒状のけい酸質肥料又はけい酸加里肥料を造粒する工程は、特に限定しないが、公知の方法を用いることができる。例えば、上記肥料の原料と上記水溶性バインダーを粉体と液体を混合するパグミルに投入し、混合させる。混合後、場合によっては造粒機を用いて水を少量噴霧しながら造粒する。
【００５５】
本実施形態の一粒型配合肥料の製造方法において、用いられるけい酸質肥料の原料は、特に限定しないが、公知のものを用いることができる。また、けい酸質肥料の原料としては、けい酸資材を用いることが好ましく、さらに好ましいのは、鉱さいを用いることである。
けい酸資材は、カルシウム、マグネシウム、カリウムなどの副資材が含まれており、特に、けい酸資材に含まれる遊離石灰は、土壌へ即効的なカルシウム供給効果を有する。
なお、鉱さいとして、例えば、高炉さいや転炉さい等が挙げられる。鉱さいは、植物の成長を助ける鉄分やマグネシウム等を含んでおり、けい酸質肥料とした場合、植物成長促進効果が期待できるからである。
また、転炉さいは、遊離石灰による即効的なアルカリ供給と、ケイ酸カルシウムによる緩効的で持続的なアルカリ供給という2段階の作用を有している傾向にあるので、例えば、酸性雨が降る地域などで土壌pHが低くなる土壌において用いることで、土壌pH維持がより効果的になる。
【００５６】
本実施形態の一粒型配合肥料の製造方法において、用いられるけい酸加里肥料の原料は、特に限定しないが、公知のものを用いることができ、例えば、微粉炭燃焼と水酸化カリウム及び水酸化マグネシウム等が挙げられる。
【００５７】
また、本実施形態の一粒型配合肥料の製造方法において、用いられるけい酸質肥料又はけい酸加里肥料の原料の形状は、特に限定しないが、顆粒状、粉末状などが挙げられる。
好ましくは、けい酸質肥料の原料は、粉末状である。また、粒子径Ｄ５０が大きいものは、造粒する際に、きれいな形状の粒子ができにくいので、微粉砕したものの方が望ましい。けい酸質肥料の原料の粒子径Ｄ５０は、特に限定しないが、１．０ｍｍ以下が好ましい。けい酸質肥料の原料の粒子径Ｄ５０は、0.001、0.01、0.05、0.1、0.2、0.4、0.5、0.6、0.8、0.9、1.0ｍｍ以下であり、ここで例示した数値の何れか２つの値の間の範囲内であってもよい。
また、粒状のけい酸質肥料又はけい酸加里肥料の原料の平均アスペクト比は、例えば、0.7、0.71、0.75、0.8、0.85、0.89、0.9、0.91、0.95、0.99、1以下であり、ここで例示した数値の何れか２つの値の間の範囲内であってもよい。
【００５８】
本実施形態の一粒型配合肥料の製造方法において、造粒で使用できる水溶性バインダーとしては、一般的には、廃糖蜜、ステフェン廃水濃縮液、アルコール発酵廃液、ポリビニルアルコール、可溶性澱粉、リグニン、リグニン酸塩、カルボキシメチルセルローズ、サルファイトパルプ副生物等があげられる。好ましくは、造粒の効率・経済性から廃糖蜜である。また、二種類以上の水溶性バインダーを用いても良い。
【００５９】
本実施形態の一粒型配合肥料の製造方法において、粒状のけい酸質肥料又はけい酸加里肥料の表面に、石灰成分を含むコーティング材をコーティングする工程は、特に限定しないが、例えば、粒状のけい酸質肥料又はけい酸加里肥料および石灰成分を含むコーティング材を造粒機に投入し、水を少量噴霧しながら粒状のけい酸質肥料又はけい酸加里肥料の表面にコーティングする。
【００６０】
本実施形態の一粒型配合肥料の製造方法において、用いられる石灰成分を含むコーティング材は、特に限定しないが、例えば、貝の殻の破砕物や石灰質肥料や石灰成分を含む水溶性バインダー等が挙げられる。また公知のものを用いてもよい。さらに例えば、二種類以上の原料を混ぜて石灰成分を含むコーティング材を作成してもよい。
【００６１】
本実施形態の一粒型配合肥料の製造方法において、用いられる石灰成分を含むコーティング材の重量比率は、コーティングすることができれば、特に限定しないが、一粒型配合肥料の重量を１００％とした場合、１０％以上が好ましく、より好ましくは、２０％以上である。上記石灰成分を含むコーティング材の重量比率は、1、3、5、10、15、18、19、20、21、25、30、50、60％以上であり、ここで例示した数値の何れか２つの値の間の範囲内であってもよい。
【００６２】
また、本実施形態の一粒型配合肥料の製造方法において、用いられるけい酸質肥料又はけい酸加里肥料は、特に限定しないが、篩によって大きさを選別しても良い。篩によって大きさを選別する場合は、例えば、JIS  Z 8801の試験用ふるいを用いて選別を行う。一例として、JIS  Z 8801における目開き１ｍｍの篩を通過し、JIS  Z 8801における目開き０．５ｍｍの篩を通過できなかったけい酸質肥料又はけい酸加里肥料を用いる。
【００６３】
また、本実施形態の一粒型配合肥料の製造方法において、得られた一粒型配合肥料を選別する工程をさらに含むのが好ましい。一粒型配合肥料を選別する工程は、特に限定しないが、例えば、水分含有量、アスペクト比、大きさ等による選別が挙げられるが、一粒型配合肥料の大きさによって、選別するのが好ましい。一例として、JIS  Z 8801における目開き４ｍｍの篩を通過し、JIS  Z 8801における目開き１ｍｍの篩を通過できなかった一粒型配合肥料を取得し選別することができる。そうすることで、一粒型配合肥料の大きさによって、選別されていることで、施肥した際に、大きさのムラが少なくなるので、一粒型配合肥料の一粒一粒における成分溶出速度に対してムラが少なくなることで、より精度よく一粒型配合肥料における効能発現パターンを制御することができる。
【００６４】
以上、本発明の実施形態について述べたが、これらは本発明の例示であり、上記以外の様々な構成を採用することもでき、本発明はこれらに限定されるものではない。
【００６５】
例えば、上記の説明では、肥料の表面にコーティング層を備えることをとりあげて説明したが、本実施形態の一粒型配合肥料における層構造は、けい酸質肥料又はけい酸加里肥料に少なくとも石灰成分を含むコーティング層を備えていればよく、特に限定しないが、一粒型配合肥料は、2層構造であってもよく、3層構造であってもよく、多重層構造であっても良い。
例えば、けい酸質肥料又はけい酸加里肥料の表面に石灰成分を含むコーティング層を備え、さらに上記石灰成分を含むコーティング層の表面にけい酸質肥料又はけい酸加里肥料を備えて、3層の一粒型配合肥料としても良い。そうすることで、肥料の効能発現パターンを制御することができる。
【００６６】
例えば、上記の説明では、本実施形態の一粒型配合肥料を土壌へ施肥することをとりあげて説明したが、本実施形態の一粒型配合肥料は、植物等が生育する環境であればよく、特に限定するものではない。例えば、水耕栽培に本実施形態の一粒型配合肥料を用いても良い。そうすることで、肥料の効能発現パターンを制御することができる。
【００６７】
例えば、上記の説明では、本実施形態の一粒型配合肥料におけるコーティング層の組成とコーティングされる肥料の組成は異なることが好ましいと説明したが、これは、上記コーティング層とコーティングされる肥料の組成が同じである場合を排除する意味ではない。
コーティング層とコーティングされる肥料の組成が同じである場合は、それぞれの物性（例えば、水分含有量や硬度等）を変更することによって、成分溶出の遅延効果を制御できるので、上記一粒型配合肥料における成分溶出量に対して強弱をつけることが可能となる。例えば、上記一粒型配合肥料が二層の場合は、二段階の成分溶出量を提供することができる。即ち、植物における生育ステージごとの栄養吸収量に見合った栄養供給をすることが可能となる。
【実施例】
【００６８】
以下、本発明を実施例によりさらに説明するが、本発明はこれらに限定されるものではない。
【００６９】
＜実施例１＞
けい酸質肥料の原料として、鉱さいを適度な大きさに粉砕した。その後、JIS  Z 8801における目開き１ｍｍの篩を通過した粉末のけい酸質肥料の原料を得た。この粉末のけい酸質肥料の原料と廃糖蜜とを、重量比で９６．５：３．５の割合で、ブレンダーに仕込んでよく混練した。
次にこの混練物を造粒機に仕込んで、水を少量噴霧しながら造粒した。次に、JIS  Z 8801における目開き２．１ｍｍの篩を通過しJIS  Z 8801における目開き１．９ｍｍ篩を通過できなかったほぼ真球形の鉱さいけい酸肥料を得た。
作製された鉱さいけい酸肥料とコーティング材としてカキ殻粉砕物（粒子径Ｄ５０が０．０５ｍｍ）とを、重量比で８０：２０の割合で造粒機に入れて、水を少量ずつ噴霧しながら、鉱さいけい酸肥料をカキ殻粉砕物にてコーティングし造粒した。その後、乾燥させて、JIS  Z 8801における目開き３．１ｍｍの篩を通過しJIS  Z 8801における目開き２．９ｍｍ篩を通過できなかったほぼ真円形の粒子（平均アスペクト比が０．９）を得た。なお、作製された一粒型配合肥料のコーティング層の平均厚さは、０．５ｍｍであった。
このような造粒により、鉱さいけい酸肥料にカキ殻粉末をコーティングした作物に最適な施肥しやすい一粒型配合肥料が得られた。
【００７０】
一粒型配合肥料の平均アスペクト比の測定は、無作為に一粒型配合肥料１０個を選び、一粒型配合肥料における長軸と短軸を測定し、比率を計算し、一粒型配合肥料１０個におけるアスペクト比の平均値を求めた。
なお、粒状のけい酸質肥料又はけい酸加里肥料の原料における平均アスペクト比の測定については、一粒型配合肥料の代わりに粒状のけい酸質肥料又はけい酸加里肥料の原料を用いる以外は、一粒型配合肥料の平均アスペクト比の測定と同様に行った。
【００７１】
コーティング層の平均厚さの測定については、無作為に本実施形態の一粒型配合肥料１０個を選び、一粒型配合肥料に対して垂直に切断をして、コーティング層の厚さの測定後、平均値を求めた。
【００７２】
また、一粒型配合肥料の可給態けい酸含有率の測定方法は、水−弱酸性陽イオン交換樹脂抽出法とモリブデンブルー比色法の変法を用いた。
【００７３】
＜結果＞
作製された一粒型配合肥料の可給態けい酸含有率は、5.0％であった。
なお、作製された一粒型配合肥料を作物に施肥した場合、施肥しやすく、作物の生育が良好であった。（表1に示す。）
【００７４】
＜実施例２＞
けい酸質肥料の原料として、可給態ケイ酸の多い鉱さいを用いる以外は、実施例１と同様に行った。
【００７５】
＜結果＞
作製された一粒型配合肥料の可給態けい酸含有率は、7.0％であった。
なお、作製された一粒型配合肥料を作物に施肥した場合、施肥しやすく、作物の生育が極めて良好であった。（表1に示す。）
【００７６】
＜実施例３＞
カキ殻粉砕物の代わりに、うらべ粉状石灰質肥料（卜部産業株式会社製）を用いる以外は、実施例２と同様に行った。
【００７７】
＜結果＞
作製された一粒型配合肥料の可給態けい酸含有率は、7.0％であった。
なお、作製された一粒型配合肥料を作物に施肥した場合、施肥しやすく、作物の生育が極めて良好であった。（表1に示す。）
【００７８】
＜実施例４＞
実施例１の一粒型配合肥料を、JIS  Z 8801における目開き４ｍｍの篩を通過し、かつJIS  Z 8801における目開き１ｍｍの篩を通過できなかった一粒型配合肥料を取得し、施肥した。
【００７９】
＜結果＞
施肥しやすく、作物の生育が極めて良好であった。（表1に示す。）
【００８０】
＜実施例５＞
総量に対して１３重量％のく溶性加里、３０重量％の可溶性けい酸、５重量％のく溶性苦土になるように、
微粉炭燃焼と水酸化カリウム及び水酸化マグネシウムを混合した。次に、その混合物と廃糖蜜とを、重量比で９６．５：３．５の割合で、ブレンダーに仕込んでよく混合後、造粒機に投入し、造粒した。
造粒後は、約９００°Ｃで焼成し、けい酸加里肥料を作製した。その後、作製されたけい酸加里肥料とうらべ粉状石灰質肥料（卜部産業株式会社製）とを、重量比で８０：２０の割合で造粒機に仕込み、水を少量ずつ噴霧しながら、けい酸加里肥料をうらべ粉状石灰質肥料にてコーティングし造粒した。その後、乾燥させて、粒子径Ｄ５０が２ｍｍのほぼ真円形の粒子（平均アスペクト比が０．９）を得た。なお、作製された一粒型配合肥料のコーティング層の平均厚さは、０．５ｍｍであった。
このような造粒により、けい酸加里肥料にカキ殻粉末をコーティングした、作物に最適な施肥しやすい一粒型配合肥料が得られた。
【００８１】
＜結果＞
作製された一粒型配合肥料の可給態けい酸含有率は、４．５％であった。
なお、作製された一粒型肥料を作物に施肥した場合、施肥しやすく、作物の生育が良好であった。（表１に示す。）
【００８２】
＜比較例１＞
けい酸質肥料の原料として、ケイ酸資材（鉱さい）を適度な大きさに粉砕した。その後、１ｍｍを超えるものを選別し除去して、粉末のけい酸質肥料の原料を得た。次に、粉末のけい酸質肥料の原料と廃糖蜜とを重量比で９６．５：３．５の割合で、ブレンダーに仕込んでよく混練した。
この混練物とカキ殻粉砕物（粒子径Ｄ５０が０．０５ｍｍ）とを、重量比で８０：２０の割合でよく混練した。  次に造粒機に仕込んで、水を少量噴霧しながら造粒し、その後、乾燥させて、JIS  Z 8801における目開き３．１ｍｍの篩を通過しJIS  Z 8801における目開き２．９ｍｍ篩を通過できなかったほぼ真円形（平均アスペクト比が０．９）の一粒型混合肥料を得た。
【００８３】
＜結果＞
作製された一粒型混合肥料の可給態けい酸含有率は、５．０％であった。
作製された一粒型混合肥料を作物に施肥した場合、実施例１−４における一粒型配合肥料に比べ、作物の生育が劣った。（表１に示す。）
【００８４】
【表１】
2015071528.tif 000002
【００８５】
＜実施例６＞
鉱さいを適度な大きさに粉砕し、JIS  Z 8801における目開き１ｍｍの篩を通過した粉末の鉱さいけい酸質肥料を得た。次に、粉末の鉱さいけい酸質肥料と廃糖蜜とを、重量比で９６．５：３．５の割合で、ブレンダーに仕込んでよく混練した。
この混練物を造粒機に仕込んで、水を少量噴霧しながら造粒した。そして、篩を用いてJIS  Z 8801における目開き３．４ｍｍの篩を通過しJIS  Z 8801における目開き３．２ｍｍ篩を通過できなかった鉱さいけい酸肥料を選別した。
選別した鉱さいけい酸肥料とコーティング材として有機石灰セルカ（卜部産業株式会社製）とを、重量比で７０：３０の割合で造粒機に入れて、水を少量ずつ噴霧しながら、鉱さいけい酸肥料を有機石灰セルカ（副産石灰肥料）にてコーティングし造粒した。
その後、乾燥させてJIS  Z 8801における目開き４．１ｍｍの篩を通過しJIS  Z 8801における目開き３．９ｍｍ篩を通過できなかった一粒型配合肥料を選別した。
なお、作製された一粒型配合肥料は、ほぼ真球形であった。また作製された一粒型配合肥料のコーティング層の平均厚さは、０．７ｍｍであり、可給態ケイ酸含有率は、9.2％であった。
【００８６】
＜比較例２＞
実施例６と同様に、粉末の鉱さいけい酸質肥料を作製した。次に、粉末の鉱さいけい酸質肥料と有機石灰セルカとを、重量比で７：３の割合で、ブレンダーに仕込んでよく混練した。この混練物を造粒機に仕込んで、水を少量噴霧しながら造粒した。篩を用いてJIS  Z 8801における目開き４．１ｍｍの篩を通過しJIS  Z 8801における目開き３．９ｍｍ篩を通過できなかった一粒型混合肥料を選別した。また、作製された一粒型混合肥料は、ほぼ真球形であり、可給態ケイ酸含有率は、8.6％であった。
【００８７】
＜比較例３＞
JIS  Z 8801における目開き４．１ｍｍの篩を通過しJIS  Z 8801における目開き３．９ｍｍ篩を通過できなかったものを選別した以外は、実施例６と同様に行い一粒型鉱さいけい酸質肥料を作製した。また、作製された一粒型鉱さいけい酸質肥料の可給態ケイ酸含有率は、12.1％であった。
次に、有機石灰セルカと廃糖蜜とを、重量比で９６．５：３．５の割合で、ブレンダーに仕込んでよく混練した。この混練物を造粒機に仕込んで、水を少量噴霧しながら造粒した。次に、篩を用いてJIS  Z 8801における目開き４．１ｍｍの篩を通過しJIS  Z 8801における目開き３．９ｍｍ篩を通過できなかった有機石灰セルカを選別して、一粒型副産石灰肥料を作製した。
上記一粒型鉱さいけい酸質肥料と上記一粒型副産石灰肥料とを重量比で７：３の割合で混合した肥料を作製した。
【００８８】
実施例６と比較例２と３の肥料の可給態けい酸含有率の測定方法は、水−弱酸性陽イオン交換樹脂抽出法とモリブデンブルー比色法の変法を用いた。
【００８９】
＜肥料の成分溶出試験＞
JIS  Z 8801における目開き２ｍｍの篩を通過した風乾土200ｇをタッパー容器に入れ、その土壌の水分含有量が６０％になるように純水を加え調整した。実施例６、比較例２、比較例３の肥料200ｍｇをそれぞれ3つずつタッパー容器の土壌に加え、各タッパー容器の蓋をして２５℃で一定期間保存した。一定期間保存後、肉眼で確認できる肥料を取り除いた後にタッパー容器の土壌をよく攪拌し、土壌の全量をバットに広げ室内に放置し風乾した。風乾後、土壌を粉砕しJIS  Z 8801における目開き２ｍｍの篩を通過した風乾土を供試土壌とした。この供試土壌のｐＨ、可給態ケイ酸含有量を測定し、平均値を求めた。それぞれの結果を表２、表３に示す。
なお、ｐＨ、可給態ケイ酸含有量については、ＺＡパーソナル（全国農業協同組合連合会）を用いて測定を行った。
【００９０】
【表２】
2015071528.tif 000003
【００９１】
【表３】
2015071528.tif 000004
【００９２】
表２と表３から実施例６は、土壌ｐＨの上昇後に土壌中の可給態ケイ酸含有量が上昇している。すなわち実施例６は、肥料の効能の遅延化及び効能発現パターンの制御を行えた。
一方、比較例２は、土壌ｐＨの上昇とともに土壌中の可給態ケイ酸含有量が上昇している。従って、肥料の効能の遅延化及び効能発現パターンの制御を行えなかった。
また、比較例３においても肥料の効能の遅延化及び効能発現パターンの制御を行えなかった。
【００９３】
＜加速試験について、＞
実施例７の肥料と比較例５の肥料について、加速試験を行った。実施例７の肥料または比較例５の肥料（約０．５ｇ）を１００mLビーカーに入れその後、塩酸（pH4）１００ｇ加えた。次にｐＨメーターをビーカー内の塩酸に浸し撹拌しながらｐＨを測定した。結果を表４および図４に示す。
【００９４】
＜実施例７＞
鉱さいけい酸質肥料を適度な大きさに粉砕し、JIS  Z 8801における目開き１ｍｍの篩を通過した粉末を得た。次に、粉末の鉱さいけい酸質肥料と廃糖蜜とを、重量比で９６．５：３．５の割合で、ブレンダーに仕込んでよく混練した。
この混練物を造粒機に仕込んで、水を少量噴霧しながら造粒し一粒型鉱さいけい酸肥料を作製した。
一粒型鉱さいけい酸肥料とコーティング材として有機石灰セルカ（卜部産業株式会社製）とを、重量比で７０：３０の割合で造粒機に入れて、水を少量ずつ噴霧しながら、鉱さいけい酸肥料を有機石灰セルカ（副産石灰肥料）にてコーティングし造粒した。また、作製された一粒型配合肥料の重さは、約０．５ｇであった。
【００９５】
＜比較例４＞
実施例７と同様に、粉末の鉱さいけい酸質肥料を作製した。次に、粉末の鉱さいけい酸質肥料と有機石灰セルカとを、重量比で７０：３０の割合で、ブレンダーに仕込んでよく混練した。この混練物を造粒機に仕込んで、水を少量噴霧しながら造粒した。また、作製された一粒型混合肥料の重さは、約０．５ｇであった。
【００９６】
加速試験の結果から、実施例７は比較例４と比べ初期においてｐＨの上昇が早い傾向が確認された。この加速試験について、酸溶液中に入れる試験方法で実際の圃場と異なる環境ではあり、また一般的な施用量に比べ過剰量（通常の2.5倍から5倍相当）の肥料を用いているが、考察としてこの加速試験から実施例７は、まず表面のコーティング材から溶け、pHの急な上昇後ケイ酸肥料が露出し、可給態ケイ酸の溶出が効率よく行われると考えられる。
【００９７】
【表４】
2015071528.tif 000005
【図１】
2015071528.tif 000006
【図２】
2015071528.tif 000007
【図３】
2015071528.tif 000008
【図４】
2015071528.tif 000009